(57)【特許請求の範囲】
【請求項１】
駆動軸が縦方向に配置された縦型の渦流ポンプであって、
ポンプ本体と、
このポンプ本体の中央部に設けられ駆動軸が挿入される中央ボックス部と、
この中央ボックス部の周囲にポンプ本体と一体の環状の隔壁部を介して形成されたＣ形の昇圧通路と、
ポンプ本体の表面に開口され昇圧通路の一端の入口部に連通された吸込口と、
ポンプ本体の表面に開口され昇圧通路の他端の出口部に連通された吐出口と、
昇圧通路の入口部と出口部との間にポンプ本体から突出するように形成された顎部と、
ポンプ本体の中央ボックス部から環状の隔壁部に切欠形成された周溝を経て昇圧通路および顎部に切欠形成された凹溝に回転可能に嵌合され縦方向の駆動軸により回転される羽根車と、
この羽根車と顎部との間の間隙に溜まった空気を外部へ抜き出す空気抜き穴とを具備し、
吐出口は、
上方へ開口された第１の吐出口と、
斜め上方へ向って外側方へ開口された第２の吐出口とを備え、
空気抜き穴は、顎部の下面から第１の吐出口にわたって穿設された
ことを特徴とする渦流ポンプ。
【発明の詳細な説明】
【技術分野】
【０００１】
本発明は、昇圧通路の入口部と出口部との間に顎部を有する渦流ポンプに関するものである。
【背景技術】
【０００２】
渦流ポンプとしては、駆動軸が横方向に配置された横型のものが一般的である（例えば、特許文献１参照）。
【０００３】
この渦流ポンプは、ポンプ本体にＣ形の昇圧通路が形成され、この昇圧通路の一端の入口部に連通された吸込口と、昇圧通路の他端の出口部に連通された吐出口とが、それぞれポンプ本体に開口され、さらに、昇圧通路の入口部と出口部との間に顎部が形成され、ポンプ本体内の昇圧通路および顎部に切欠形成された凹溝に、外周部に多数の羽根溝が形成された羽根車が回転可能に嵌合され、この羽根車の中心に横方向の駆動軸が嵌着された渦流ポンプがある。
【０００４】
そして、外部のモータによって駆動軸を介し羽根車を回動すると、ポンプ本体の吸込口から昇圧通路の入口部に吸込まれた液は、羽根車と共に昇圧通路を移動しながら、羽根車の各羽根溝内と昇圧通路との間で渦流となり、これが各羽根溝内で同時に行なわれながら昇圧通路内を進み、昇圧通路を進むにつれて昇圧されて、昇圧通路の出口部から吐出口を経て外部へ吐出される。
【０００５】
このような渦流ポンプを、モータなどの設置スペースなどの関係で、駆動軸が縦方向になるように配置された縦型の渦流ポンプとして用いる場合は、例えば図５および図６に示されるようになる。
【０００６】
この図５および図６に示された縦型の渦流ポンプは、運転開始時の自吸時において、ポンプ本体１に開口された吸込口２より液とともに空気を吸込む。そして、羽根車３の回転にともなって発生する渦流が、Ｃ形に形成された昇圧通路４に沿って移動する際に、遠心力の作用で、液より比重の軽い空気は昇圧通路４の内側を、空気より比重の重い液は昇圧通路４の外側を通って、ポンプ本体１に開口された吐出口５より排出される。
【０００７】
その際、昇圧通路４の内側を通る空気は、ポンプ本体１の中央部に設けられ羽根車３の駆動軸６が挿入される中央ボックス部７に漏れ出して溜まり、さらに、この中央ボックス部７から、図６に示されるように吸込口２および吐出口５にそれぞれ連なる昇圧通路４の入口部4aと出口部4bとを仕切る顎部８と、羽根車３との間の間隙９に溢れ出て溜まる現象が発生することが分かった。
【特許文献１】特開平６−３２３２８８号公報（第３−４頁、図１−２）
【発明の開示】
【発明が解決しようとする課題】
【０００８】
このようにして、顎部８と羽根車３との間の間隙９に空気が溜まると、羽根車３によるポンプ作用が有効に働かなくなることが明らかになった。
【０００９】
本発明は、このような点に鑑みなされたもので、昇圧通路の入口部と出口部との間に形成された顎部の間隙に空気が溜まることを防止できる渦流ポンプを提供することを目的とするものである。
【課題を解決するための手段】
【００１０】
本発明は、駆動軸が縦方向に配置された縦型の渦流ポンプであって、ポンプ本体と、このポンプ本体の中央部に設けられ駆動軸が挿入される中央ボックス部と、この中央ボックス部の周囲にポンプ本体と一体の環状の隔壁部を介して形成されたＣ形の昇圧通路と、ポンプ本体の表面に開口され昇圧通路の一端の入口部に連通された吸込口と、ポンプ本体の表面に開口され昇圧通路の他端の出口部に連通された吐出口と、昇圧通路の入口部と出口部との間にポンプ本体から突出するように形成された顎部と、ポンプ本体の中央ボックス部から環状の隔壁部に切欠形成された周溝を経て昇圧通路および顎部に切欠形成された凹溝に回転可能に嵌合され縦方向の駆動軸により回転される羽根車と、この羽根車と顎部との間の間隙に溜まった空気を外部へ抜き出す空気抜き穴とを具備し、吐出口は、上方へ開口された第１の吐出口と、斜め上方へ向って外側方へ開口された第２の吐出口とを備え、空気抜き穴は、顎部の下面から第１の吐出口にわたって穿設された渦流ポンプである。
【発明の効果】
【００１１】
本発明によれば、昇圧通路の外側を通る液に対し内側を通る空気が、中央ボックス部に漏れ出して溜まり、この中央ボックス部から、昇圧通路の入口部と出口部との間に形成された顎部と羽根車との間の間隙に溢れ出ることがあっても、その空気を空気抜き穴により外部へ抜き出すことで、顎部の間隙に空気が溜まることを防止でき、この顎部の間隙を常に液で満たして、羽根車によるポンプ作用を有効に働かせることができる。特に、吐出口は、上方へ開口された第１の吐出口と、斜め上方へ向って外側方へ開口された第２の吐出口とを備え、空気抜き穴は、顎部の下面から第１の吐出口にわたって穿設されたので、ポンプ本体から吐出される液中に空気が混入している場合、軽い空気は、上方へ開口された第１の吐出口から排出されやすく、空気より重く遠心力により昇圧通路の外側へ片寄った液は、外側方へ開口された第２の吐出口から排出されやすいので、液中から分離された空気を効率良く外部へ排出して、顎部と羽根車との間の間隙に空気が溜まることを防止でき、羽根車によるポンプ作用を有効に働かせることができる。
【発明を実施するための最良の形態】
【００１２】
以下、本発明を、図１乃至図４に示された一実施の形態を参照して詳細に説明する。
【００１３】
図１乃至図４は、駆動軸が縦方向に配置された縦型の渦流ポンプを示し、図１および図３に示されるように、ポンプ本体11の中央部下側に、駆動軸12が挿入される中央ボックス部13が設けられ、この中央ボックス部13の周囲に、ポンプ本体11と一体の環状の隔壁部14を介してＣ形の昇圧通路15が形成されている。
【００１４】
さらに、図１および図２に示されるように、ポンプ本体11の表面に、昇圧通路15の一端の入口部16に連通された吸込口17が上方へ開口され、また、ポンプ本体11の表面に、昇圧通路15の他端の出口部18に連通された吐出口19が開口されている。
【００１５】
この吐出口19としては、垂直に上方へ開口された第１の吐出口19aと、斜め上方へ向って外側方へ開口された第２の吐出口19bとが設けられている。
【００１６】
さらに、図２および図３に示されるように、昇圧通路15の入口部16と出口部18との間に、顎部25がポンプ本体11から突出するように形成され、ポンプ本体11の中央ボックス部13から環状の隔壁部14に切欠形成された周溝26を経て、昇圧通路15と、顎部25に切欠形成された凹溝27とに、縦方向の駆動軸12により回転される羽根車28が回転可能に嵌合されている。この羽根車28は、図３および図４に示されるように、外周部に多数の羽根溝29が形成されている。
【００１７】
図３に示されるように、ポンプ本体11の中央ボックス部13は、モータ側の部材30により塞がれている。
【００１８】
さらに、図１乃至図３に示されるように、この羽根車28と顎部25との間の間隙31に溜まった空気を外部へ抜き出す空気抜き穴32が、顎部25の下面から、第１の吐出口19aにわたって穿設されている。
【００１９】
次に、この図１乃至図４に示された実施の形態の作用効果を説明する。
【００２０】
渦流ポンプは、ポンプ本体11の下側に配置されたモータによって、羽根車28の中心に嵌着された駆動軸12を回動すると、羽根車28の羽根溝29が、羽根車28と同心円の昇圧通路15内を回転し、ポンプ本体11の吸込口17から昇圧通路15の入口部16に液を吸込む。この液は、羽根車28と共に昇圧通路15を移動しながら、羽根車28の各羽根溝29内と昇圧通路15との間で渦流となり、これが各羽根溝29で同時に行なわれながら昇圧通路15内を進み、昇圧通路15を進むにつれて昇圧されて、昇圧通路15の出口部18から吐出口19を経て外部へ吐出される。
【００２１】
ポンプ運転開始時の自吸時は、ポンプ本体11の吸込口17から昇圧通路15の入口部16に液とともに多量の空気を吸込むので、遠心力の作用で昇圧通路15の外側を通る液に対し、内側を通る空気が、中央ボックス部13に漏れ出して溜まり、この中央ボックス部13から、昇圧通路15の入口部16と出口部18との間に形成された顎部25と羽根車28との間の間隙31に溢れ出ることがあっても、その空気は、空気抜き穴32により外部へ抜き出されるので、顎部25の間隙31に空気が溜まることは防止される。したがって、この顎部25の間隙31は常に液で満たされ、羽根車28によるポンプ作用が有効に働くようになる。
【００２２】
さらに、ポンプ本体11から吐出される液中に空気が混入している場合、軽い空気は、上方へ開口された第１の吐出口19aから排出されやすく、空気より重く遠心力により昇圧通路15の外側へ片寄った液は、外側方へ開口された第２の吐出口19bから排出されやすいので、液中から分離された空気を効率良く外部へ排出して、顎部25と羽根車28との間の間隙31に空気が溜まり難くすることで、羽根車28によるポンプ作用が有効に働くようになる。
【図面の簡単な説明】
【００２３】
【図１】本発明に係る渦流ポンプの一実施の形態を示す平面図である。
【図２】図１のII−II線断面図である。
【図３】図１のIII−III線断面図である。
【図４】図３のIV−IV線断面図である。
【図５】従来の渦流ポンプを示す平面図である。
【図６】図５のVI−VI線断面図である。
【符号の説明】
【００２４】
11    ポンプ本体
12    駆動軸
13    中央ボックス部
14    隔壁部
15    昇圧通路
16    入口部
17    吸込口
18    出口部
19    吐出口
19a   第１の吐出口
19b   第２の吐出口
25    顎部
26    周溝
27    凹溝
28    羽根車
31    間隙
32    空気抜き穴
【図１】
0004578227.tif 000002
【図２】
0004578227.tif 000003
【図３】
0004578227.tif 000004
【図４】
0004578227.tif 000005
【図５】
0004578227.tif 000006
【図６】
0004578227.tif 000007